(57)【要約】【課題】本発明は、バルコニー用ロールスクリーンに関し、バルコニーにおける空間部を有効活用できるようにするとともにスクリーンの収納状態も収まり良くすることが課題である。【解決手段】バルコニーの庇２の下に前後方向に平行に敷設された走行レール３と、前記走行レール間に架設されたロールスクリーン４と、該ロールスクリーンから引き出されるスクリーン４ｂの下部に設けられバルコニーの床部５若しくは腰壁７の手摺りに掛けられるフック４ｅとからなるバルコニー用ロールスクリーン１である。【選択図】    図１
2004346510.tif 000002
【特許請求の範囲】
【請求項１】
バルコニーの庇の下に前後方向に平行に敷設された走行レールと、前記走行レール間に架設されたロールスクリーンと、該ロールスクリーンから引き出されるスクリーンの下部に設けられバルコニーの床部若しくは腰壁の手摺りに掛けられるフックとからなること、
を特徴とするバルコニー用ロールスクリーン。
【請求項２】
ロールスクリーンは、回転自在な収納筒体の中に複数個のスクリーンが収納されていること、
を特徴とする請求項１に記載のバルコニー用ロールスクリーン。
【発明の詳細な説明】
【０００１】
【発明の属する技術分野】
本発明は、バルコニー用ロールスクリーンに係り、詳しくは、バルコニーにおける空間部が、雨の吹き込みや、鳥類の侵入若しくは直射日光により、有効に活用できなくなるのを防止するバルコニー用ロールスクリーンに関する。
【０００２】
【従来の技術】
従来において、マンション等のバルコニーは、例えば、天井面に設けられた物干し竿に洗濯物を掛けて乾かす洗濯物干し場として使用されたり、観葉植物や野菜等を鉢植えしてミニ菜園として使用されたり、テーブル・イス等を配して憩いの場として使用されたり、種々の利用方法がある。
【０００３】
このように、バルコニーを有効活用する提案として、支柱を立てて、風の流通を許容しながら雨の降り込みを遮断するカーテン装置を設けて、物干し場として活用するものが知られている（例えば、特許文献１参照。）。
【０００４】
【特許文献１】
特開平６−１０８７５６号公報（第１−３頁、第１図乃至第２図）
【０００５】
【発明が解決しようとする課題】
しかしながら、このようなカーテン装置では、固定された支柱にカーテンを取付け、その不使用時には内部に折り畳まれるようにしてあるが、バルコニーの前面に前記支柱と上下に複数のレールがあって景観を損ねるとともに、折り畳まれたカーテンも、収納体に完全に収納されるわけではないので、強風で煽られて支柱が支えきれずに折れたり、固定部から外れてバルコニーから落下したりするおそれもある。本発明に係るバルコニー用ロールスクリーンはこのような課題を解決するために提案されたものである。
【０００６】
【課題を解決するための手段】
上記課題を解決するために、本発明に係るバルコニー用ロールスクリーンの要旨は、バルコニーの庇の下に前後方向に平行に敷設された走行レールと、前記走行レール間に架設されたロールスクリーンと、該ロールスクリーンから引き出されるスクリーンの下部に設けられバルコニーの床部若しくは腰壁の手摺りに掛けられるフックとからなることである。
【０００７】
前記ロールスクリーンは、回転自在な収納筒体の中に複数個のスクリーンが収納されていることを含むものである。
【０００８】
本発明に係るバルコニー用ロールスクリーンによれば、走行レールにより、ロールスクリーンを前後方向に移動させることができて、バルコニーの空間を有効に活用することが自在となる。スクリーンは収納筒体に収納されるので、収まり具合が良く風の影響も受けない。この収納筒体には複数個のスクリーンが入っており、雨対策や日差し対策等、使用状況に合わせて所望のスクリーンを選択して使用することができ、バルコニー空間を最適に活用できる。
【０００９】
【発明の実施の形態】
次に、本発明に係るバルコニー用ロールスクリーン１について、図面を参照して説明する。図１乃至図２に示すように、前記バルコニー用ロールスクリーン１には、バルコニーの庇２の下に、前後方向に平行に敷設された走行レール３がある。この走行レール３は、例えば、金属製でＨ型のレールを庇２の下面にアンカー等で固定するものである。なお、取付用ボルトをコンクリートに埋設しておいても良い。
【００１０】
前記走行レール３，３間に、当該レールに上部が嵌合されて吊持された支持部材４ｃを介して、架設されたロールスクリーン４は、例えば、金属製若しくは合成樹脂製で円筒状の収納筒体４ａに、複数個のスクリーン４ｂが周方向に均等配置で収納されている。これらは、例えば、３個の色違いで、薄さや目の荒さの異なった雨用、日差し用、仕切り用等の各種用途に応じた、スクリーン４ｂが収納されている。
【００１１】
前記ロールスクリーン４から引き出されるスクリーンの下部４ｄに設けられ、バルコニーの床部５若しくは腰壁６の手摺り７における掛け金具に掛けられる、金属製のフック４ｅが設けられている。
【００１２】
このロールスクリーン４の横方向の長さは、例えば、２ｍ〜３ｍ程度で、一つのバルコニーで２個程度装備するものである。前記各スクリーン４ｂは、その下部が収納筒体４ａの開口部から外に出ている。そして、フック４ｅを、係止部を有する引下げ具等で引っかけて、スクリーン４ｂを引き下げるものである。
【００１３】
前記ロールスクリーン４の収納筒体４ａは、その支持軸周りに正・逆回転させることができて、前記３個のスクリーン４ｂを適宜に選択して引き出し、使用できるものである。例えば、日差しを避けるものであれば、薄くて目の粗い物としたり、雨用であれば少し厚いビニールシート等のような不透水の物としたりする。
【００１４】
また、ロールスクリーン４は、例えば、支持部材４ｃに吊下された移動用竿（図示せず）で手で曳くことで、前記走行レール３に対して前後移動するので、強風時の時に不用意に移動しないよう、ロック装置を走行レール３の前後の位置に設けておくものである。このロック装置の係止作用・係止解除には、機械的な装置にして手動操作できるものである。
【００１５】
バルコニーの床部５には、前記フック４ｅを掛けるための、掛け金具８を設けておくものである。腰壁６である場合には、その上の手摺り７にフック４ｅを掛けることができるが、腰壁６の代わりに手摺りが設けられている場合には、その近傍の床部に掛け金具８ａを設けるようにして、この掛け金具８ａにフック４ｅを掛けるようにする。なお、各スクリーン４ｂは、前記手摺り７若しくは掛け金具８ａから外されると、コイルバネ等の付勢力で収納筒体４ａに、自動的に巻き戻されるものである。
【００１６】
このような本発明に係るバルコニー用ロールスクリーン１によれば、例えば、雨除けにして、洗濯物干し場とする場合には、先ずスクリーン４ｂを不透水である雨用の物に選択し、ロールスクリーン４を前方向に移動させて、所定の位置で手動でロック装置によってロックする。
【００１７】
そして、前記選択されたスクリーン４ｂを引下げ具で下げて、フック４ｅを、手摺り７に掛ける、若しくは、床部５の掛け金具８ａに掛ける。これにより、バルコニー空間が洗濯物干し場として使用できる。また、簡易的な植物用の温室空間としても利用できる。
【００１８】
また、風除け若しくは日差し除け用の簾のようなスクリーン４ｂに適宜に変えて、テーブル・イス等を用意することで、バルコニー空間を家族・友人等との憩いの場に使用することもできる。
【００１９】
更に、網状のスクリーン４ｂを選択して、ロールスクリーン１を前方の所定位置で展着させることで、鳩等の鳥による糞害を防止することもできる。また、秋・冬の西日が室内に強く差し込み暑い場合には、ロールスクリーン４を後方の位置で展着し、簾の代わりにするものである。
【００２０】
【発明の効果】
上記説明したように、本発明に係るバルコニー用ロールスクリーンは、バルコニーの庇の下に前後方向に平行に敷設された走行レールと、前記走行レール間に架設されたロールスクリーンと、該ロールスクリーンから引き出されるスクリーンの下部に設けられバルコニーの床部若しくは腰壁の手摺りに掛けられるフックとからなるので、スクリーンのバルコニーにおける収まり具合が良く、不使用時に風に煽られることが無く、適宜に収納筒体からスクリーンを展着させて、バルコニーの空間を有効に活用することができるという効果がある。また、ロールスクリーンが前後方向に移動できるので、所望の空間に適するように自在にスクリーンを配置することができる。
【００２１】
前記ロールスクリーンは、回転自在な収納筒体の中に複数個のスクリーンが収納されているので、用途に合わせて適宜に選択してスクリーンを展着できるようになり、使用勝手が良くなると言う優れた効果を奏するものである。
【図面の簡単な説明】
【図１】本発明に係るバルコニー用ロールスクリーン１の使用状態を示す縦断面図である。
【図２】同本発明に係るバルコニー用ロールスクリーン１の一部正面図である。
【図３】同本発明に係るバルコニー用ロールスクリーン１の一部拡大詳細断面図である。
【符号の説明】
１      バルコニー用ロールスクリーン、    ２      庇、
３      走行レール、                      ４      ロールスクリーン、
４ａ    収納筒体、                        ４ｂ    スクリーン、
４ｃ    支持部材、                        ４ｄ    下部、
４ｅ    フック、                          ５      床部、
６      腰壁、                            ７      手摺り、
８，８ａ  掛け金具。
【図１】
2004346510.tif 000003
【図２】
2004346510.tif 000004
【図３】
2004346510.tif 000005